(57)【要約】      （修正有）【課題】彩度調整が測色計を用いないで容易確実に調整可能になる方法を提供する。【解決手段】すべての作業で共通する基本となる標準の彩度段階基準をつくり、これを視覚標準及び（該標準の彩度段階基準の彩度段階差を多段階に変換した）デジタル画像カラーチャートをもたらし、視覚標準と該カラーチャート段階列が等色する位置の彩度変換値を見い出している。【選択図】図６
2009188967.tif 000002
【特許請求の範囲】
【請求項１】
たとえばＬ５０（ａ＝０，ｂ＝０）の中性無彩色を中心に同一Ｌ値でそのａｂ値をプラス方向とマイナス方向（たとえばΔ５、Δ１０等）に多段階に変化させてつくった標準彩度色段階からなる反射型彩度視覚標準（以下、視覚標準）と、該視覚標準と同じ色特性をもつ＜デジタル標準彩度段階＞の該標準列の上下に該標準列の彩度のみをプラス方向とマイナス方向に多段階に増減させた＜彩度変換段階列＞を有する色調整用＜デジタルカラーチャート＞を併用し、
１）モニタ調整では、該＜デジタルカラーチャート＞をモニタ（ディスプレイ）に呼び出したその画面上に標準光源（環境光）で照明された該視覚標準をあてがって該チャート列のどれかと等色させ、
２）画像製作では、該視覚標準を被写体に添えて撮影したその各段階部分を該＜デジタルカラーチャート＞の＜彩度変換段階列＞と併置し、該チャート列のどれかと等色させ、
３）画像印刷では、無調整で刷り出した該＜デジタルカラーチャート＞のプリント上に該視覚標準をあてがって該チャート列のどれかと等色させ、
いずれも、等色した＜彩度変換段階列＞の±デジタル彩度変換特性を見い出し、該視覚標準と該＜デジタルカラーチャート＞とが該標準画像列（中央部）でおいて両者の各段階が等色するよう調整することによって、彩度調整を可能にしたことを特徴とする画像の色調整法。
【発明の詳細な説明】
【技術分野】
【０００１】  画像色再現においてとくに正しい彩度を得るための色調整法に関わる。
【背景技術】
【０００２】  従来の色調整法には、色票、カラーチャート、カラーパッチと称する色見本を用いる方法、また同一出願人による特許第３８５５１７６等がある。
【発明の開示】
【発明が解決しようとする課題】
【０００３】  画像色再現では、撮影からモニタにおける画像調整、印刷の各段階において、画像の明度（濃度）とコントラスト、カラーバランス及び彩度についての正しい調整が必要になる。しかし、現状では、以下に述べる理由からその調整が困難な状態にある。【０００４】  つまり現状では、１）まず第一の問題として、デジタル画像処理ではモニタで正しい画像表示が不可欠になるが、現状ではモニタの明るさ、コントラスト、カラーバランスについては視感判定でも（特許第３８５５１７６法では）調整が可能になるが、該調整で果たして彩度調整が的確におこなえているかどうかを判定する方法が欠け、モニタが表示できる確実な彩度の確認と調整が測色計なしにはできないという問題がある。
そして２）画像製作においては、従来は無彩色のグレイスケール段階をもとに、その各無彩色段階が結果的に近似再現されればよいという考え方があった。それは、従来の銀塩色再現では画像のコントラストは使用フィルムやカラーペーパーの特性にゆだねられ、銀塩プリントでは明度（濃度）とカラーバランスだけを調整すればよく、それでいて大きな問題はなかったかったが、今日のデジタル時代ではそれがまったく通用しなくなってきている。【０００５】  つまり、今日では、銀塩フィルムから画像をデジタル化する場合、またデジタルカメラで撮影をする場合もともにコントラスト調整が不可欠となるとともに、デジタル操作によって画像コントラストが自由に調整できるがゆえに、かえって確実な色再現が困難になり、銀塩フィルムからデジタル化する場合は、画像コントラストを高めに調整すると彩度が高く鮮やか過ぎとなり、画像コントラストを低く設定すると鈍い発色となる。
そしてデジタルカメラ、またそのプリントではデバイス及びその設定次第で、いかに無彩色のグレイスケールが正しく再現されても、彩度が変化し正しい色再現が得られないという問題が生じている。【０００６】  そして、３）画像印刷では、使用する印刷機（プリンター）と用紙、また使用インクごとに刷り上がる画像の彩度が異なり、またコントラスト調整によっても彩度が異なってくるために、そして従来の色見本を用いる方法では測色計を必要とするとともに、試行錯誤を繰り返しても的確な調整値を得ることが困難な状態にある。
つまり、１）、２）、３）のすべての場合において、従来の無彩色グレイスケール段階を用いてコントラスト及びカラーバランスを調整するだけでは正しい色再現、とりわけ彩度調整ができないという大きな問題点があった。【０００７】  本発明は、上記画像製作全般にわたって生じている彩度調整の問題を、必ずしも測色計に頼ることなく視感調整によても合理的に容易確実に調整する方法を開発することを目的としている。
【課題を解決するための手段】
【０００８】  そこで本発明では、上記するすべての彩度調整操作において共通する基本となる標準の彩度段階基準をつくり、これを視覚標準及び該標準の彩度段階差を多段階に変換した色調整用デジタルカラーチャートをもたらし、視覚標準と該カラーチャート段階列が等色する位置の彩度変換値を見い出して上記問題点を解決しようとしている。
なお、ここでいう彩度調整は、Ｌ＊ａ＊ｂ＊（以下Ｌａｂ）表色系の各ａｂ色度値の各ａｂ値差の調整をいう。つまり各ａｂ色度値を＋方向に調整すれば彩度が高くなり、−方向に調整すれば彩度は低くなるが、いずれも色相は変わらずに、鮮やかさだけが変わる調整をいう。したがって本発明は画像色再現における彩度値の相違を正しく調整する方法ということである。【０００９】  すなわち本発明では、たとえばＬ５０（ａ＝０，ｂ＝０）の中性無彩色を中心に同一Ｌ値でそのａｂ値をプラス方向とマイナス方向（たとえばΔ５、Δ１０等）に多段階に変化させてつくった標準彩度色段階からなる反射型彩度視覚標準（以下、視覚標準）と、該視覚標準と同じ色特性をもつ＜デジタル標準彩度段階＞の該標準列の上下に該標準列の彩度のみをプラス方向とマイナス方向に多段階に増減させた＜彩度変換段階列＞を有する色調整用＜デジタルカラーチャート＞を併用し、
１）モニタ調整では、該＜デジタルカラーチャート＞をモニタ（ディスプレイ）に呼び出したその画面上に標準光源（環境光）で照明された該視覚標準をあてがって該チャート列のどれかと等色させ、２）画像製作では、該視覚標準を被写体に添えて撮影したその各段階部分を該＜デジタルカラーチャート＞の＜彩度変換段階列＞と併置し、該チャート列のどれかと等色させ、３）画像印刷では、無調整で刷り出した該＜デジタルカラーチャート＞のプリント上に該視覚標準をあてがって該チャート列のどれかと等色させ、いずれも、等色した＜彩度変換段階列＞の±デジタル彩度変換特性を見い出し、該視覚標準と該＜デジタルカラーチャート＞とが該標準画像列（中央部）でおいて両者の各段階が等色するよう調整することによって、彩度調整を可能にする。
【発明の効果】
【００１０】  １）モニタ調整においては、これまではモニタ発色のとくに彩度（色の鮮やかさ、飽和度）が正しいかどうか、これを視感で客観的に点検し確認する方法がなかった。そのために困難を生じていたが、本発明により測色計を必要とせず、はじめて視感調整においてモニタが発色する彩度の適否の検証、調整、判定が容易に可能になる。
２）また画像製作では銀塩カメラ、デジタルカメラともに、これまでできなかった撮影画像の彩度の適否の判定と確認、そしてその具体的調整法を容易に見い出すことが可能になる。【００１１】  そして、３）印刷作業では、これまで、たとえ明るさ、コントラスト、カラーバランスを正しく調整し、被写体の灰色が灰色として再現され色の偏りがないにもかかわらず、正しい色再現ができなかったその主要原因である彩度調整が本発明により測色計を必要とせず、はじめて視感調整において容易確実に調整可能になる。【００１２】  上記いずれの場合も、カラーチャートの彩度変換段階列と等色する列の±彩度変換値をもとに、色度差をどの程度大きく、あるいは小さくすれば正しい彩度が得られるかを知ることができ、そこで得たデータで画像データを変換する、あるいはプリンタードライバーの彩度調整をどの程度、アップダウンさせれば正しい色調整が可能になるかという具体的データが、迅速容易、確実に把握可能になる。
このように、本発明は、これまでのグレイスケール調整だけではほとんど調整困難にあったとくに彩度調整の改善によって、モニタ調整、撮影、画像調整、プリンター調整まで、デジタル時代に要求される色管理のすべてにわたって勘や経験、測色操作なしに画期的色改善を容易確実に可能にする。
【発明を実施するための最良の形態】
【００１３】  図１はその標準となる彩度段階基準の色特性を示したもので、図中、ＲＧＢ、ＣＭＹは三原色の中性彩度色を示し、１は、Ｌ＊ａ＊ｂ＊（以下Ｌａｂ）表色系のＬａｂ色度図の横軸のａ軸彩度段階であり、中央から右方向にプラスΔ１０段階でａの色度（彩度）が増して赤っぽく、左方向にマイナスΔ１０段階でａの色度（彩度）が減じて緑っぽく、図中２はＬａｂ色度図の縦軸のｂ軸彩度段階を横に配列したもので、中央から右方向にｂの色度（彩度）が増して黄色っぽく、左方向にｂの色度（彩度）が減じて青紫っぽくなる色部分が並び、ともに中央に中性無色の灰色（Ｌ５０、ａ＝０、ｂ＝０）があり、いずれも中央に近くなるほど彩度が低く、両端に近くなるほど彩度が高くなる。
標準の色度差Δは５段階差またそれ以下でもよい。使用される視覚標準はこれらの標準デジタルデータが正しく印刷されることにより得られるが、製作した視覚標準に応じて標準デジタルデータを与えることができる。いずれも、鑑賞条件（主として照明光及び眼の色覚）が適切ならば両者は等色して見える関係にある。
【実施例】
【００１４】  図２は本発明で使用される反射型視覚標準の一実施例であり、４はａ軸彩度段階部、５はｂ軸彩度段階部をもつ反射型標準彩度段階基準であり、従来から用いられている白から黒までの無彩色グレイスケール段階部６とともに、対象に比色、等色が容易になるよう本体の両端に印刷または色票によってもたらされている。その無彩色段階はＬ値表示が併用されることにより、彩度段階とともに、画像を画像調整ソフトをＬａｂモードにすることにより従来よりも容易確実、迅速な調整が可能になる。
なお、標準彩度段階基準は、上記Ｌ５０以外に、何段階かの高明度段階基準、更にＲＧＢ，ＣＭＹ主要色相等を追加し、参照色を増加することができる。【００１５】  図３はデジタル画像で製作した色調整用＜デジタルカラーチャート＞であり、中央位置（列番号５、調整値０）に図２の４（ａ）及び５（ｂ）と等しい基本のデジタル彩度段階列があり、その上下にその彩度段階列の彩度（この場合△１０）を１０段階で順次プラス方向とマイナス方向に向かって増減するよう変換されおり、彩度段階は上に向かって高く、下に向かって低くなるよう配列されており、左にチャート番号と、彩度変換したデータが括弧内に表示されている。【００１６】  したがって、チャートの中央列は視覚標準と等しい色特性をもっているので、視覚標準をあてがったとき、このチャート番号５で各段階が等色ないし近似すればどの場合も調整は不要であることがわかり、中央から離れるほどより大きい彩度調整が必要になるが、多くの＜彩度変換段階列＞が用意されているので、多段階列から等色する列を見い出して具体的に彩度値をどのように増減すれば正常な色再現が得られるかそのデータを容易に検出することが可能になる。【００１７】  １＜モニタ調整＞
デジタル画像処理ではモニタ本体の調整が正しくないと正しい画像の表示も調整もおこなえないという問題は、本発明では、図４モニタの彩度調整法の説明図に示すように、色調整用＜デジタルカラーチャート＞画面をモニタに呼び出したそのモニタの画面上８に視覚標準１０をあてがい、両者が等色する＜彩度変換段階列＞のデジタルデータ５をもとにモニタ調整が可能になる。【００１８】  つまり、無彩色のグレイスケール段階が正しく表示されかつ＜デジタルカラーチャート列＞の中央列と標準光源あるいはその環境光によって照明された該視覚標準段階が等色する位置が図４のように段階列５であるならば、そのモニタの彩度調整値はゼロであり、すなわちモニタは正常な状態に調整されていると判断することができる。
モニタが受ける環境照明光で照明された視覚標準とモニタのデジタル画像の彩度とが一致する関係にあり、したがって、そこで見る印刷物とその正しいデジタルデータも色特性が一致する関係にあるからである。
なお、標準光源あるいはその環境光がモニタ画面上の該視覚標準を直接的に照明しても、モニタは外光を吸収する構造にあるので発色表示される＜デジタルカラーチャート列＞の色は変化せず、その照明条件において正しい比色、等色が可能になるが、照明は表面反射が生じない角度（画面に対して４５度方向）が望まれる。【００１９】  そして、中央部では一致せず、上下にずれて等色するならば、彩度が高すぎるか低すぎるかそのどちらかであるが、等色位置から彩度調整をどの程度±すれば正しい色表示が可能になるかが具体的に判明可能になる。【００２０】  ２＜画像製作＞
画像製作は銀塩カメラ、デジタルカメラもいずれもまず＜被写体撮影＞から始まるが、本発明では、図２の視覚標準の被写体画面に添えて撮影した画像各段階部分が結果的に図１の所定のＬａｂ値になればよいという指針があるので調整が容易確実におこなえる。
例えば、カラーバランスについては、中央の画像部分がＬ５０、ａ＝０、ｂ＝０に、各段階の色度差が所定（Δ１０）差になればよいので、Ｌａｂモードで容易確実な調整が可能になるだけでなく、図５のように、そのデジタル化された該視覚標準部分１３を＜デジタルカラーチャート＞とともにモニタ画面上に呼び出し、該視覚標準画像を該＜彩度変換段階列＞と並列させたとき、その部分が中央列と一致すれば、その撮影画像は彩度、明暗ともに適正であり調整不要であること、そして、等色部分が図５のように、＜彩度変換段階列＞４であれば彩度を１０マイナスした時に適正彩度が得られることが判明する。
本発明ではこのように、撮影画像の明度とカラーバランス及び彩度を、視覚的また数値的に容易確実な調整が可能になる。【００２１】  ３＜画像印刷＞
３）画像印刷では該＜デジタルカラーチャート＞を無調整で刷り出したプリント上（図６−１４）に該＜視覚標準＞１５の彩度段階をあてがい、両者が近似等色するその位置の±デジタル彩度変換値を見い出して彩度調整をおこなうことによって、モニタ本体及び撮影画像、プリンターから刷り出す印刷画像を正しく色調整可能にする。
たとえば、プリント結果が図６のように、視覚標準の彩度段階が＜彩度変換段階列＞６と等色する場合には、彩度が１０不足している結果であるから、この場合は彩度を１０プラスした時に適正彩度が可能になることが判明する。このようにして、これまではできなかった的確な彩度調整がはじめて容易確実に可能になる。【００２２】  図７ー１６は印刷調整用ソフトの調整画面の一例であり、モニタに呼び出した、ボタン設定により明度、コントラスト、カラーバランスに加えて彩度出力データを調整可能にする。
すなわち、無調整印刷部分をクリックすれば、そのプリンターと用紙により無調整で印刷したときの印刷結果が得られ、視覚標準との参照により色再現の適否と調整法が一目瞭然となり、明度、コントラスト、カラーバランスについても同様原理を用いて調製用チャートをもたらして、調整番号ボタンを選択してセットし、印刷ボタンを押せば、中央位置に正常に標準彩度段階が印刷されたカラーチャートが出力できるよう構成されている。このような機能をもつファイルをプリンター、用紙ごとに各種のファイルとして用意しておけば、画像ごとのいちいちの画像変換やプリンタードライバーの各調整機能をいちいち設定することなく、彩度についても正常なデジタル色再現画像の正しい出力が容易迅速、確実に可能になる。
【図面の簡単な説明】
【図１】  本発明の彩度段階基準の色特性の説明図
【図２】  反射型＜視覚標準＞の一実施例
【図３】  デジタル画像で製作した彩度調整用＜デジタルカラーチャート＞
【図４】  モニタの彩度調整法の説明図
【図５】  撮影した視覚標準部分を＜彩度調整用デジタルカラーチャート＞とともにモニタ画面上に呼び出し、比較参照するその説明図。
【図６】  印刷画像の調整法の説明図
【図７】  ボタン設定により明度、コントラスト、カラーバランスに加えて彩度出力データを調整可能にするパソコン色調整用ソフトのウインドウ。
【符号の説明】
【００２３】  １  Ｌ＊ａ＊ｂ＊（以下Ｌａｂ）表色系のＬａｂ色度図の横軸のａ軸彩度段階
２  同  縦軸のｂ軸彩度段階
３  視覚標準本体
４  ａ軸彩度段階部
５  ｂ軸彩度段階部
６  白から黒までの無彩色グレイスケール段階部
７  モニタ本体
８  モニタ画面に呼び出した＜デジタルカラーチャート＞
９  ＜デジタルカラーチャート＞の標準彩度段階列
１０  モニタ画面上８におかれた視覚標準
１１  視覚標準の標準彩度色段階列
１２  ＜デジタルカラーチャート＞の彩度を＋１０に変換した段階列
１３  撮影しデジタル化された視覚標準部分
１４  ＜デジタルカラーチャート＞を無調整で出力したプリント
１５  視覚標準
１６  印刷調整用ソフトの調整画面の一例
【図１】
2009188967.tif 000003
【図２】
2009188967.tif 000004
【図３】
2009188967.tif 000005
【図４】
2009188967.tif 000006
【図５】
2009188967.tif 000007
【図６】
2009188967.tif 000008
【図７】
2009188967.tif 000009